(57)【要約】【課題】設備費用の低減を図りつつ、限られたスペースに容易に設置する。【解決手段】数値入力装置１２は、複数の電卓１６と、複数のスティック型パーソナルコンピュータ１８と、複数のＬＡＮアダプタ２０と、１つのＬＡＮ用ハブ２２とを含んで構成されている。電卓１６は、審判員毎に設置されるものであり、ＵＳＢ通信が可能に構成されているが、ＬＡＮ通信の機能は備えていない。スティック型パーソナルコンピュータ１８は、電卓１６毎に設けられ電卓１６とＵＳＢ回線２４を介して接続されている。ＬＡＮアダプタ２０は、スティック型パーソナルコンピュータ１８毎に設けられＵＳＢ回線２４とＬＡＮ回線とを変換するものである。ＬＡＮ用ハブ２２は、ＬＡＮアダプタ２０毎に第１のＬＡＮ回線２６を介して複数のスティック型パーソナルコンピュータ１８と接続されると共に、第２のＬＡＮ回線２８を介してホストコンピュータ１４に接続されている。【選択図】図２
2018153386.tif 000002
【特許請求の範囲】
【請求項１】
複数の審判員によって競技内容を評価する数値が決定され前記数値に基づいて得点が集計される競技の数値入力装置であって、
前記審判員毎に設置されＵＳＢ通信が可能な複数の電卓と、
前記電卓毎に設けられ前記電卓とＵＳＢ回線を介して接続された複数のスティック型パーソナルコンピュータと、
前記スティック型パーソナルコンピュータ毎に設けられＵＳＢ回線とＬＡＮ回線とを変換する複数のＬＡＮアダプタと、
前記ＬＡＮアダプタ毎に第１のＬＡＮ回線を介して前記複数のスティック型パーソナルコンピュータと接続されたＬＡＮ用ハブと、
を備えることを特徴とする数値入力装置。
【請求項２】
複数の審判員によって競技内容を評価する数値が決定され前記数値に基づいて得点が集計される競技の得点集計装置であって、
数値入力装置とホストコンピュータとを備え、
前記数値入力装置は、
前記審判員毎に設置されＵＳＢ通信が可能な複数の電卓と、
前記電卓毎に設けられ前記電卓とＵＳＢ回線を介して接続された複数のスティック型パーソナルコンピュータと、
前記スティック型パーソナルコンピュータ毎に設けられＵＳＢ回線とＬＡＮ回線とを変換する複数のＬＡＮアダプタと、
前記ＬＡＮアダプタ毎に第１のＬＡＮ回線を介して前記複数のスティック型パーソナルコンピュータと接続されたＬＡＮ用ハブとを備え、
前記ホストコンピュータは、前記ハブ装置と第２のＬＡＮ回線を介して接続され、
前記ホストコンピュータは、
前記複数の電卓から送信された数値を、前記ＵＳＢ回線、前記スティック型パーソナルコンピュータ、前記ＬＡＮアダプタ、前記第１のＬＡＮ回線、前記ＬＡＮ用ハブ、前記第２のＬＡＮ回線を経て受け付け、前記受け付けた数値を予め定められた採点ルールに基づいて処理することにより競技の総合得点を含む集計情報を生成する情報生成部と、
前記集計情報を表示装置に表示する表示部とを備える、
ことを特徴とする得点集計装置。
【請求項３】
前記ＬＡＮアダプタは、前記電卓が接続される第１のＵＳＢポートと、前記スティック型パーソナルコンピュータが接続される第２のＵＳＢポートと、前記第１のＬＡＮ回線が接続されるＬＡＮポートとを備え、
前記ＵＳＢ回線は前記第１のＵＳＢポートおよび前記第２のＵＳＢポートを含んで構成されている、
ことを特徴とする請求項１記載の数値入力装置または請求項２記載の得点集計装置。
【請求項４】
前記電卓は、数値を入力する置数キーと、前記入力した数値を表示する表示器と、前記入力した数値を前記ＵＳＢ回線を介して前記第１情報処理部に送信する通信部と、前記通信部による前記数値の送信を行わせる送信キーと、前記表示器および前記送信部に電力を供給する太陽電池とを備える、
ことを特徴とする請求項１記載の数値入力装置または請求項２記載の得点集計装置。
【請求項５】
前記複数のスティック型パーソナルコンピュータと、前記ＵＳＢ回線と、前記複数のＬＡＮアダプタと、前記第１のＬＡＮ回線と、前記ＬＡＮ用ハブとが単一の筐体に収容され、
前記複数の電卓は、前記筐体の外部に設置されている、
ことを特徴とする請求項１記載の数値入力装置または請求項２記載の得点集計装置。
【請求項６】
前記競技は新体操である、
ことを特徴とする請求項１記載の数値入力装置または請求項２記載の得点集計装置。
【発明の詳細な説明】
【技術分野】
【０００１】
本発明は数値入力装置および得点集計装置に関する。
【背景技術】
【０００２】
複数の審判員によって競技内容を評価する数値が決定され、その数値に基づいて得点が集計される個人あるいは団体の競技、例えば、新体操などにおいては、以下のようにして得点の集計を行っている。
すなわち、複数の審判員の手元に数値を入力するためのノート型パーソナルコンピュータあるいはタブレット型パーソナルコンピュータが配置され、それら複数のパーソナルコンピュータを通信回線を介して１台のホストコンピュータに接続する。
競技毎に各審判員が数値を複数のパーソナルコンピュータに入力すると、各数値は通信回線を介してホストコンピュータに送信される。
ホストコンピュータでは、各審判員が入力した数値を受け付け、それら数値に基づいて得点を集計する。
なお、特許文献１には、バスケットボールや柔道などの対戦型スポーツの得点を表示する技術が開示されているものの、複数の審判員によって得点が与えられる個人あるいは団体の競技において得点の集計を行なう点については開示されていない。
【先行技術文献】
【特許文献】
【０００３】
【特許文献１】特開２０１３−８１６１６号公報
【発明の概要】
【発明が解決しようとする課題】
【０００４】
しかしながら、例えば、女子の新体操競技の規定では、審判員が最低でも９名、最高で１４名必要となることから、得点の集計を行なうために、高価なパーソナルコンピュータを数多く用意しなくてはならず、設備コストが大きな負担となっている。
また、数多くのノート型パーソナルコンピュータあるいはタブレット型パーソナルコンピュータを設置するためには広いスペースが必要となり、同時に多くの競技が行なわれるような場合、競技会場でのスペース確保が容易ではないという問題が有る。
一方、ＵＳＢ通信機能を備えた電卓が市場に流通している。
本発明は、このＵＳＢ通信機能を備えた電卓に着目して案出されたものであり、その目的は、新体操などの競技において、設備費用の低減を図りつつ、限られたスペースに容易に設置する上で有利な数値入力装置および得点集計装置を提供することにある。
【課題を解決するための手段】
【０００５】
上記目的を達成するために、本発明は、複数の審判員によって競技内容を評価する数値が決定され前記数値に基づいて得点が集計される競技の数値入力装置であって、前記審判員毎に設置されＵＳＢ通信が可能な複数の電卓と、前記電卓毎に設けられ前記電卓とＵＳＢ回線を介して接続された複数のスティック型パーソナルコンピュータと、前記スティック型パーソナルコンピュータ毎に設けられＵＳＢ回線とＬＡＮ回線とを変換する複数のＬＡＮアダプタと、前記ＬＡＮアダプタ毎に第１のＬＡＮ回線を介して前記複数のスティック型パーソナルコンピュータと接続されたＬＡＮ用ハブとを備えることを特徴とする。
また、本発明は、複数の審判員によって競技内容を評価する数値が決定され前記数値に基づいて得点が集計される競技の得点集計装置であって、数値入力装置とホストコンピュータとを備え、前記数値入力装置は、前記審判員毎に設置されＵＳＢ通信が可能な複数の電卓と、前記電卓毎に設けられ前記電卓とＵＳＢ回線を介して接続された複数のスティック型パーソナルコンピュータと、前記スティック型パーソナルコンピュータ毎に設けられＵＳＢ回線とＬＡＮ回線とを変換する複数のＬＡＮアダプタと、前記ＬＡＮアダプタ毎に第１のＬＡＮ回線を介して前記複数のスティック型パーソナルコンピュータと接続されたＬＡＮ用ハブとを備え、前記ホストコンピュータは、前記ハブ装置と第２のＬＡＮ回線を介して接続され、前記ホストコンピュータは、前記複数の電卓から送信された数値を、前記ＵＳＢ回線、前記スティック型パーソナルコンピュータ、前記ＬＡＮアダプタ、前記第１のＬＡＮ回線、前記ＬＡＮ用ハブ、前記第２のＬＡＮ回線を経て受け付け、前記受け付けた数値を予め定められた採点ルールに基づいて処理することにより競技の総合得点を含む集計情報を生成する情報生成部と、前記集計情報を表示装置に表示する表示部とを備えることを特徴とする。
【発明の効果】
【０００６】
本発明によれば、従来のようにノート型パーソナルコンピュータあるいはタブレット型パーソナルコンピュータを多数の審判員のそれぞれに対応して設置する場合に比較して、市販品である安価なＵＳＢ通信機能を備えた電卓、スティック型パーソナルコンピュータ、ＬＡＮアダプタをそれぞれ審判員の人数分だけ用意すれば足りる。
そのため、数値入力装置、あるいは、得点集計装置のコスト低減を図る上で有利となる。
また、各審判員の手元には、小さな電卓を載置すれば足りるため、ノート型パーソナルコンピュータあるいはタブレット型パーソナルコンピュータを各審判員の手元に配置する場合に比べて、各審判員の手元に各種の資料を載置するスペースを大きく確保でき、各審判員による審査を効率よく行なう上で有利となる。
また、従来のように審判員の数に対応したノート型パーソナルコンピュータあるいはタブレット型パーソナルコンピュータを使用する場合に比べ、電卓は小型で軽量なため、その運搬作業、設置作業の簡略化を図る上で有利となる。
また、スティック型パーソナルコンピュータ、ＬＡＮアダプタは小型であるため、審判員の数に対応してスティック型パーソナルコンピュータ、ＬＡＮアダプタを設置しても、占有スペースをコンパクト化できるため、限られたスペースに容易に設置する上で有利となる。
【図面の簡単な説明】
【０００７】
【図１】実施の形態に係る得点集計装置の構成を模式的に示す説明図である。
【図２】実施の形態に係る得点集計装置の構成を示すブロック図である。
【図３】電卓の外観図である。
【図４】電卓と電卓を除く数値入力装置との接続部分を説明するブロック図である。
【図５】電卓と電卓を除く数値入力装置との接続部分の他の例を説明するブロック図である。
【図６】ホストコンピュータのブロック図である。
【図７】ホストコンピュータの機能ブロック図である。
【図８】表示装置に表示される集計情報の一例を示す説明図である。
【図９】実施の形態に係る得点集計装置の動作を示すフローチャートである。
【発明を実施するための形態】
【０００８】
以下、本発明の実施の形態に係る数値入力装置および得点集計装置について図面を参照して説明する。
なお、本実施の形態では、得点を集計する競技が女子の新体操である場合について説明する。
【０００９】
まず、新体操の採点ルールについて説明する。
新体操では、複数の審判員は、例えば、以下のように分類される。
（１）技術点（Ｄ点）を採点する審判員（合計４名）
審判員Ｄ１、Ｄ２が第１の組となり、審判員Ｄ１、Ｄ２の採点結果の平均値を得点とする。
審判員Ｄ３、Ｄ４が第２の組となり、審判員Ｄ３、Ｄ４の採点結果の平均値を得点とする。
第１の組と第２の組の得点の合計が技術点（Ｄ点）の得点となる。
（２）芸術点（Ｅ点）を採点する審判員（合計５名）
審判員Ｅ１、Ｅ２が第３の組となり、審判員Ｅ１、Ｅ２が減点を決定し、減点結果の平均値を１０点の持ち点から減算した結果を得点とする。
審判員Ｅ３〜Ｅ７が第４の組となり、審判員Ｅ３〜Ｅ７が減点を決定し、減点結果の最高点と最低点とを除く残りの減点の平均値を１０点の持ち点から減算した結果を得点とする。
第３の組と第４の組の得点の合計が芸術点（Ｅ点）の得点となる。
（３）線審（２名）
２名の線審が矩形状の競技エリアの規定のラインを競技者または手具が逸脱した回数を計数し、その合計に０．３を乗じた結果を減点とする。
（４）計審（１名）
１名の計審が競技者の演技時間が規定時間を超過した時間を測定し、超過時間（秒）に０．０５点を乗じた結果を減点とする。
上記の（１）技術点と（２）芸術点の合計から（３）線審の減点および（４）計審の減点を差し引いた値を競技者の総合得点とする。
【００１０】
また、上述した審判員の人数は固定されたものではなく、以下のように変更が可能である。
例えば、第１、第２、第３の組では、審判員は１名でも２名でもよい。
第４の組では、審判員は３名、４名、５名の何れでも良い。
上述した採点ルールによれば、審判員の人数は、最低でも９名、最高で１４名と多いものとなっている。
なお、本明細書では、説明の簡略化を図るため、実際に運用される採点ルールに比較して単純化した内容で記載している。
また、このような採点ルールは、定期的に見直され改定されている。
【００１１】
図１、図２に示すように、得点集計装置１０は、競技会場に設置されるものであり、数値入力装置１２と、ホストコンピュータ１４とを含んで構成されている。
数値入力装置１２は、複数の電卓１６と、複数のスティック型パーソナルコンピュータ１８と、複数のＬＡＮアダプタ２０と、１つのＬＡＮ用ハブ２２とを含んで構成されている。なお、図１でＬＡＮアダプタ２０の図示は省略されている。
なお、図２において、電卓１６には、後述する審判員の種類を識別するための記号として「Ｄ１〜Ｄ４」、「Ｅ１〜Ｅ７」、「線１」、「線２」、「計審」を示している。
【００１２】
電卓１６は、審判員毎に設置されるものであり、ＵＳＢ通信が可能に構成されているが、ＬＡＮ通信の機能は備えていない。
ＵＳＢ通信が可能な電卓１６は、市販品であり安価である。例えば、カシオ計算機株式会社のＵＳＢ通信機能を備えた電卓である商品名ＭＺ−２０は５０００円である。
図３、図４に示すように、電卓１６は、ＣＰＵ１６０２と、置数キー１６０４と、操作キー１６０６と、クリアキー１６０７と、送信キー１６０８と、表示器１６１０と、通信部１６１２と、太陽電池１６１４とを含んで構成されている。
ＣＰＵ１６０２は、置数キー１６０４、操作キー１６０６、クリアキー１６０７の操作に応じた処理を行ない、その結果を表示器１６１０に表示させ、また、送信キー１６０８の操作に応じて通信部１６１２を制御するものである。
置数キー１６０４は、０〜９までの数値や小数点を入力するために操作するものである。
操作キー１６０６は、加減乗除の演算やメモリ機能を用いるために操作するものである。
クリアキー１６０７は、置数キー１６０４で入力した数値や計算結果をクリアするために操作するものである。
送信キー１６０８は、置数キー１６０４で入力した数値を送信するために操作するものである。
表示器１６１０は、置数キー１６０４で入力された数値、演算結果の数値を表示するものである。
通信部１６１２は、送信キー１６０８が操作されるとＣＰＵ１６０２の制御により、表示器１６１０に表示されている数値をＵＳＢ回線２４を介してスティック型パーソナルコンピュータ１８に送信するものである。
太陽電池１６１４は、ＣＰＵ１６０２、表示器１６１０および通信部１６１２に電力を供給するものである。
なお、電卓１６により入力される数値は、上述した採点ルールに基づいて決定されるものであり、数値には以下の種類がある。
（１）技術点（Ｄ点）を採点する審判員Ｄ１〜Ｄ４が入力する得点を示す数値。
（２）芸術点（Ｅ点）を採点する審判員Ｅ１〜Ｅ７が入力する減点を示す数値。
（３）線審が入力する競技者または手具が矩形状の競技エリアの規定のラインを逸脱した回数を示す数値。
（４）計審が入力する演技時間を示す数値。
【００１３】
図１、図２に示すように、スティック型パーソナルコンピュータ１８は、電卓１６毎に設けられ電卓１６とＵＳＢ回線２４を介して接続されている。
スティック型パーソナルコンピュータ１８は、表示装置や入力装置が設けられておらず、外部装置との通信を行なうＵＳＢ通信用のコネクタを有するが、ＬＡＮ通信用のコネクタは設けられていない。
したがって、スティック型パーソナルコンピュータ１８は、ノート型パーソナルコンピュータやタブレット型パーソナルコンピュータに比較して小型である。
なお、本実施の形態では、スティック型パーソナルコンピュータ１８を用いる場合について説明するが、スティック型パーソナルコンピュータ１８に代えてスティック型パーソナルコンピュータ１８に準ずる機能を有する小型パーソナルコンピュータを用いてもよいことは無論である。
【００１４】
ＬＡＮアダプタ２０は、スティック型パーソナルコンピュータ１８毎に設けられＵＳＢ回線２４とＬＡＮ回線とを変換するものである。
図４に示すように、本実施の形態では、ＬＡＮアダプタ２０は、電卓１６が接続される第１のＵＳＢポート２０Ａと、スティック型パーソナルコンピュータ１８が接続される第２のＵＳＢポート２０Ｂと、第１のＬＡＮ回線２６が接続されるＬＡＮポート２０Ｃとを備えている。
また、ＵＳＢ回線２４は第１のＵＳＢポート２０Ａおよび第２のＵＳＢポート２０Ｂを含んで構成されている。
なお、第１、第２のＵＳＢポート２０Ａ、Ｂはオス型あるいはメス型のコネクタで構成されているが、説明の簡略化を図るため、コネクタの図示は省略している。
また、スティック型パーソナルコンピュータ１８は、不図示の外部電源が供給されることにより動作する。
なお、図４、図５では、数値入力装置１２の一部分のみを示し、他の部分を省略している。
【００１５】
ＬＡＮ用ハブ２２は、ＬＡＮアダプタ２０毎に第１のＬＡＮ回線２６を介して複数のスティック型パーソナルコンピュータ１８と接続されると共に、第２のＬＡＮ回線２８を介してホストコンピュータ１４に接続されている。
本実施の形態では、ＬＡＮ用ハブ２２は、有線式であるが、ＬＡＮ用ハブ２２が無線式であり、第１、第２のＬＡＮ回線２６，２８を無線回線としてもよい。
【００１６】
本実施の形態では、図２、図４に示すように、複数のスティック型パーソナルコンピュータ１８と、ＵＳＢ回線２４と、複数のＬＡＮアダプタ２０と、第１のＬＡＮ回線２６と、ＬＡＮ用ハブ２２とは単一の筐体３０に収容されており、数値入力装置１２のコンパクト化が図られている。
また、複数の電卓１６は、筐体３０の外部に設置され、具体的には、各審判員が着座するテーブルの上、あるいは、各審判員の手元に置かれており、各電卓１６と筐体３０とはＵＳＢ回線２４によって接続されている。
なお、審判員は９名〜１４名と多く、また、審判員のうち線審は競技エリアの直近にいることから、複数の電卓１６のうち一部の電卓１６を筐体３０すなわちＬＡＮアダプタ１８から遠く離れた箇所に設置せざるを得ない場合が想定される。しかしながら、ＵＳＢ回線２４の長さは５ｍが上限となる。
この場合、図５に示すように、ＵＳＢ回線２４にＵＳＢ回線とＬＡＮ回線とを変換する２つの変換器３２、３４を入れることにより、それら２つの変換器３２、３４の間を長距離の信号伝達が可能な第３のＬＡＮ回線３６で接続すれば、電卓１６を筐体３０から離れた位置に設置することができる。
【００１７】
ホストコンピュータ１４は、ノート型パーソナルコンピュータ、あるいは、タブレット型パーソナルコンピュータ、あるいは、デスクトップ型パーソナルコンピュータで構成されている。
図６に示すように、ホストコンピュータ１４は、ＣＰＵ３８と、バスラインを介して接続されたＲＯＭ４０、ＲＡＭ４２、ハードディスク装置４４、表示装置４６、入力装置４８、通信部５０、インターフェース５２などを含んで構成されている。
ＲＯＭ４０は、各種のデータを格納・記憶するものである。
ＲＡＭ４２はＣＰＵ３８のワーキングエリアを提供するものである。
ハードディスク装置４４は、ＣＰＵ３８が実行するプログラムを格納するものである。
【００１８】
表示装置４６は、文字や画像を表示するものであり、例えば液晶表示装置などのフラットパネルディスプレイで構成されている。
入力装置４８は、入力操作を受け付けるものであり、キーボードおよびマウスによって構成されている。なお、入力装置４８は、表示装置４６の表示面上に設けられたタッチパネルで構成してもよく、入力装置４８として従来公知の様々な構成の入力デバイスが使用可能である。
通信部５０は、ＬＡＮ通信を行なうものであり、本実施の形態では、第２のＬＡＮ回線２８を介してＬＡＮ用ハブ２２に接続されている。
【００１９】
ＣＰＵ３８は、図７に示すように、上記プログラムを実行することにより、情報生成部３８Ａと、表示部３８Ｂとを実現するものである。
情報生成部３８Ａは、複数の電卓１６から送信された数値をＵＳＢ回線２４、スティック型パーソナルコンピュータ、ＬＡＮアダプタ２０、第１のＬＡＮ回線２６、ＬＡＮ用ハブ２２、第２のＬＡＮ回線２８を経て受け付け、受け付けた数値を予め定められた採点ルールに基づいて処理することにより競技の総合得点を含む集計情報を生成するものである。
情報生成部３８Ａによる数値の処理は、上述した採点ルールに基づいて行なわれる。
集計情報は、例えば、各審判員が入力した数値、数値の平均値、得点の合計、減点の合計、それら得点の合計と減点の合計とを加算した総合得点を含む。
表示部３８Ｂは、総合得点を含む集計情報を表示装置４６に表示する。
なお、インターフェース５２を介して集計情報を各種記録媒体に出力したり、プリンタから印刷出力したり、インターネットを介して他のコンピュータに転送するなど任意である。
【００２０】
図８は表示装置４６の表示画面に表示される集計情報の一例を示す。
図中、符号Ｃ１は、採点を行なう審判員を表示する審判員表示欄であり、審判員表示欄には、上述したように審判員を示す記号「Ｄ１〜Ｄ４」、「Ｅ１〜Ｅ７」が表示されている。
符号Ｃ２は、審判員Ｄ１〜Ｄ４、Ｅ１〜Ｅ７が電卓１６により入力した数値、ここでは得点あるいは減点が表示される第１の数値表示欄を示す。
符号Ｃ３は、第１の組の審判員Ｄ１、Ｄ２が入力した得点の平均値が表示される第１の得点表示欄を示す。
符号Ｃ４は、第２の組の審判員Ｄ３、Ｄ４が入力した得点の平均値が表示される第２の得点表示欄を示す。
符号Ｃ５は、第３の組の審判員Ｅ１、Ｅ２が入力した減点の平均値が表示される第１の減点表示欄を示す。
符号Ｃ６は、第４の組の審判員Ｅ３〜Ｅ７が入力した減点のうち、最高点と最低点とを除外した残りの減点が表示される第２の減点表示欄を示す。
【００２１】
符号Ｃ７は、第１の平均値表示欄Ｃ３に表示される得点と、第２の平均値表示欄Ｃ４に表示される得点とを加算した得点が表示される第３の得点表示欄を示す。
符号Ｃ８は、第１の減点表示欄Ｃ５に表示された減点を１０点の持ち点から減算した結果と、第２の減点表示欄Ｃ６に表示された減点の平均値を１０点の持ち点から減算した結果とを加算した得点が表示される第４の得点表示欄を示す。
符号Ｃ９は、第３の得点表示欄Ｃ７に表示される得点と、第４の得点表示欄Ｃ５に表示される得点とを加算した得点合計が表示される得点合計表示欄である。
【００２２】
符号Ｃ１０は、計審、線審を表示する審判員表示欄であり、審判員表示欄には、上述したように審判員を示す記号「計」、「線１」、「線２」が表示されている。
符号Ｃ１１は、計審が電卓１６により入力した数値、ここでは競技時間が表示される第２の数値表示欄を示す。
符号Ｃ１２は、線審１、線審２が電卓１６により入力した数値、ここでは競技者または手具が規定のラインを逸脱した回数が表示される第３の数値表示欄を示す。
符号Ｃ１３は、第２の数値表示欄に表示された競技時間が規定の演技時間を超過した場合に、超過した時間（秒）に０．０５点を乗じて得られた減点を表示する第２の減点表示欄を示す。
符号Ｃ１４、Ｃ１５は、第３の数値表示欄Ｃ１２に表示された回数に０．３を乗じて得られた減点を表示する第３の減点表示欄を示す。
符号Ｃ１６は、第２の減点表示欄Ｃ１３、第３の減点表示欄Ｃ１４、Ｃ１５に表示された減点を合計した減点合計を表示する減点合計表示欄を示す。
符号Ｃ１７は、得点合計表示欄Ｃ９に表示された得点から減点合計表示欄Ｃ１６に表示された減点を減算した総合得点を表示する総合得点表示欄を示す。
【００２３】
なお、符号Ｂ１は上述した各欄Ｃ２〜Ｃ１７に表示された数値、得点、減点をゼロクリアする際にマウスでクリック操作されるクリアボタンを示す。
また、符号Ｂ２は上述した各欄Ｃ２〜Ｃ１７に表示された数値、得点、減点を確定し、その確定結果を競技者の属性情報（氏名や所属団体名など）とホストコンピュータ１４のハードディスク装置４４に設けられた記録用のデータベースに登録する際にマウスでクリック操作される確定ボタンを示す。
【００２４】
次に数値入力装置１２および得点集計装置１０の動作について図９のフローチャートを参照して説明する。
競技者による競技が実施されることにより、複数の審判員は、それぞれ得点、減点、回数、時間などの数値を自分の電卓１６に入力する（ステップＳ１０）。
入力した数値は表示器１６１０に表示されるため、数値の確認ができる。
数値に誤りが有るか否かを判定し（ステップＳ１２）、誤りがあれば、クリアキー１６０７を操作したのち数値を再入力し訂正を行なう（ステップＳ１４）。
数値に誤りがなければ、送信キー１６０８を操作する（ステップＳ１６）。
すると、電卓１６の通信部１６１２から送信された数値のデータは、ＵＳＢ回線２４、ＬＡＮアダプタ２０、スティック型パーソナルコンピュータ１８、ＬＡＮアダプタ２０、第１のＬＡＮ回線２６、ＬＡＮ用ハブ２２、第２のＬＡＮ回線２８を介してホストコンピュータ１４に至る（ステップＳ１８）。
【００２５】
ここで、電卓１６およびスティック型パーソナルコンピュータ１８は共にＵＳＢ通信の機能を備えるが、ＬＡＮ通信の機能を備えていない。
しかしながら、ＬＡＮアダプタ２０の第１のＵＳＢポート２０Ａに電卓１６が接続されると共に、第２のＵＳＢポート２０Ｂにスティック型パーソナルコンピュータ１８が接続されていることで、電卓１６は、スティック型パーソナルコンピュータ１８およびＬＡＮアダプタ２０を介してホストコンピュータ１４に対する通信が可能となる。
これはホストコンピュータ１４が第２のＬＡＮ回線２８、ＬＡＮ用ハブ２２、第２のＬＡＮ回線２６、ＬＡＮアダプタ３０を介して、スティック型パーソナルコンピュータ１８を認識することができるためである。
したがって、ホストコンピュータ１４では、受け付けた数値に基づいて情報生成部３８Ａにより集計情報が生成され、表示部３８Ｂにより集計情報が表示装置４６に表示される（ステップＳ２０）。
以上で一連の動作が終了し、競技者による競技が実施される都度、上記と同様の処理が繰り返して実行される。
【００２６】
本実施の形態によれば、数値入力装置１２は、審判員毎に設置される複数の電卓１６と、電卓１６にＵＳＢ回線２４を介して接続された複数のスティック型パーソナルコンピュータ１８と、ＵＳＢ回線２４とＬＡＮ回線とを変換する複数のＬＡＮアダプタ２０と、ＬＡＮアダプタ２０毎に第１のＬＡＮ回線２６を介して複数のスティック型パーソナルコンピュータ１８と接続されたＬＡＮ用ハブ２２とを備えている。
したがって、従来のようにノート型パーソナルコンピュータあるいはタブレット型パーソナルコンピュータなどを９名〜１４名といった多数の審判員のそれぞれに対応して設置する場合に比較して、安価な電卓１６、スティック型パーソナルコンピュータ１８、ＬＡＮアダプタ２０をそれぞれ審判員の人数分だけ用意すれば足りる。
そのため、数値入力装置１２、あるいは、数値入力装置４８を備える得点集計装置１０のコスト低減を図る上で有利となる。
例えば審判員が１０名の場合、従来のようにノート型パーソナルコンピュータあるいはタブレット型パーソナルコンピュータ、ＬＡＮハブを用いた場合、例えば、ノート型パーソナルコンピュータあるいはタブレット型パーソナルコンピュータを１０万円とし、ＬＡＮハブを３万円とした場合、合計で１０３万円となる。
これに対して、本実施の形態のように、電卓１６、ステッィク型パーソナルコンピュータ１８、ＬＡＮアダプタ２０，ＬＡＮハブ２２を用いた場合、電卓１６を５０００円とし、スティック型パーソナルコンピュータ１８を１万円とし、ＬＡＮアダプタ２０を３０００円とし、ＬＡＮハブを３万円とした場合、合計で２１万円となり、設備コストを１／５程度に低減できる。
また、各審判員の手元には、小さな電卓１６を載置すれば足りるため、ノート型パーソナルコンピュータあるいはタブレット型パーソナルコンピュータを各審判員の手元に配置する場合に比べて、各審判員の手元に各種の資料を載置するスペースを大きく確保でき、各審判員による審査を効率よく行なう上で有利となる。
また、従来のように審判員の数に対応したノート型パーソナルコンピュータあるいはタブレット型パーソナルコンピュータを使用する場合に比べ、電卓１６は小型で軽量なため、その運搬作業、設置作業の簡略化を図る上で有利となる。
また、スティック型パーソナルコンピュータ１８、ＬＡＮアダプタ２０は小型であるため、審判員の数に対応してスティック型パーソナルコンピュータ１８、ＬＡＮアダプタ２０を設置しても、占有スペースをコンパクト化でき数値入力装置１２を限られたスペースに容易に設置する上で有利となる。
【００２７】
また、本実施の形態によれば、ＬＡＮアダプタ２０は、電卓１６が接続される第１のＵＳＢポート２０Ａと、スティック型パーソナルコンピュータ１８が接続される第２のＵＳＢポート２０Ｂと、第１のＬＡＮ回線２６が接続されるＬＡＮポート２０Ｃとを備え、ＵＳＢ回線２４は第１のＵＳＢポート２０Ａおよび第２のＵＳＢポート２０Ｂを含んで構成されている。
したがって、安価で小型なＬＡＮアダプタ２０を用いることにより数値入力装置１２、あるいは、数値入力装置１２を備える得点集計装置１０のコスト低減を図りつつ、構成を簡素化でき数値入力装置１２の設置作業の効率化を図る上で有利となる。
【００２８】
また、本実施の形態によれば、電卓１６は、数値を入力する置数キー１６０４と、入力した数値を表示する表示器１６１０と、入力した数値をＵＳＢ回線２４を介して第１情報処理部に送信する通信部１６１２と、通信部１６１２による数値の送信を行わせる送信キー１６０８と、表示器１６１０および通信部１６１２に電力を供給する太陽電池１６１４とを備える。
従来のようにノート型パーソナルコンピュータやタブレット型コンピュータを用いた場合は、内部バッテリーによる稼働時間の制限があるため、長時間の運用では競技中にバッテリー切れが生じるという問題がある。
また、バッテリーに代えて、それら複数のコンピュータにＡＣ電源を供給することも考えられるが、この場合は、数多くの電源用のコードを競技会場に設置しなければならず、設置スペースを大きく占有し、また、設置作業の効率化を図る上で不利がある。
これに対して、本実施の形態では、電卓１６は太陽電池１６１４で駆動するため、競技中にバッテリー切れを生じるおそれがなく、数値入力装置１２、得点集計装置１０の使い勝手を高め、商品価値を高める上で有利となる。
また、ＡＣ電源を供給するために数多くのコードを設置する必要がなく、設置スペースのコンパクト化を図れ、また、設置作業の簡略化を図る上で有利となる。
なお、電卓１６が、太陽電池１６１４に代えて表示器１６１０および通信部１６１２に電力を供給するボタン電池を備えるものであっても上記と同様の効果が奏されることは無論である。
しかしながら、本実施の形態のように電卓１６が太陽電池１６１４を備えるものであれば、ボタン電池の交換作業が不要となるため、メンテナンス作業の簡略化、メンテンスコストの低減を図る上でさらに有利となる。
【００２９】
また、本実施の形態によれば、複数のスティック型パーソナルコンピュータ１８と、ＵＳＢ回線２４と、複数のＬＡＮアダプタ２０と、第１のＬＡＮ回線２６と、ＬＡＮ用ハブ２２とが単一の筐体３０に収容され、複数の電卓１６は、筐体３０の外部に設置されている。
したがって、数値入力装置１２のうち、電卓１６以外の部分を筐体３０に収納することで数値入力装置１２の設置スペースをコンパクト化でき、また、電卓１６を接続するＵＳＢ回線２４、ホストコンピュータ１４を接続する第２のＬＡＮ回線２８以外の配線部分が筐体３０内に収容されるため、数値入力装置１２、得点集計装置１０の美観を向上させる上でも有利となる。
【００３０】
なお、実施の形態では、得点が集計される競技が女子の新体操である場合について説明したが、本発明は、複数の審判員によって競技内容を評価する数値が決定され数値に基づいて得点が集計される従来公知の様々な競技に適用可能である。
【符号の説明】
【００３１】
１０  得点集計装置
１２  数値入力装置
１４  ホストコンピュータ
１６  電卓
１６０８  送信キー
１６１０  表示器
１６１２  通信部
１６１４  太陽電池
１８  スティック型パーソナルコンピュータ
２０  ＬＡＮアダプタ
２０Ａ  第１のＵＳＢポート
２０Ｂ  第２のＵＳＢポート
２０Ｃ  ＬＡＮポート
２２  ＬＡＮ用ハブ
２４  ＵＳＢ回線
２６  第１のＬＡＮ回線
２８  第２のＬＡＮ回線
３０  筐体
４６  表示装置
【図１】
2018153386.tif 000003
【図２】
2018153386.tif 000004
【図３】
2018153386.tif 000005
【図４】
2018153386.tif 000006
【図５】
2018153386.tif 000007
【図６】
2018153386.tif 000008
【図７】
2018153386.tif 000009
【図８】
2018153386.tif 000010
【図９】
2018153386.tif 000011